(57)【特許請求の範囲】
【請求項１】
着用者からの排泄物を受ける吸収性物品であって、
透液性のトップシートと、
撥水性または不透液性のバックシートと、
前記トップシートと前記バックシートとの間に配置される吸収コアと、
を備え、
前記吸収コアが、
透液性の吸収体シートに高吸収性材料が固定された上層吸収体と、
前記上層吸収体と前記バックシートとの間に配置され、シート状の繊維集合体を有する下層吸収体と、
を備え、
前記上層吸収体が、
幅方向に配列されるとともにそれぞれに前記高吸収性材料が固定される複数の材料存在領域と、
前記複数の材料存在領域の周囲にて前記高吸収性材料が非存在である周囲領域と、
前記複数の材料存在領域よりも前記高吸収性材料の密度が低く、股下部にて長手方向に延びるとともに、前記幅方向にて隣接する各２つの材料存在領域間における前記周囲領域の前記幅方向の幅よりも前記幅方向の幅が大きい上溝領域と、
を備え、
前記下層吸収体が、周囲の部位よりも繊維の密度が低く、前記股下部にて前記上溝領域と重なる下溝部を備え、
前記上溝領域と前記下溝部とが重なる領域において、前記下溝部の前記幅方向の幅が、前記上溝領域の前記幅方向の幅以上であることを特徴とする吸収性物品。
【請求項２】
請求項１に記載の吸収性物品であって、
前記上層吸収体の前記吸収体シートが、積層されて互いに固定される２枚のシート部材を含み、
前記高吸収性材料が、前記２枚のシート部材の間に固定されることを特徴とする吸収性物品。
【請求項３】
請求項２に記載の吸収性物品であって、
前記周囲領域において、前記２枚のシート部材が、接着剤による接着および熱圧着により接合され、
前記上溝領域において、前記２枚のシート部材が、接着剤による接着のみにより接合される、または、互いに非接合であることを特徴とする吸収性物品。
【請求項４】
着用者からの排泄物を受ける吸収性物品であって、
透液性のトップシートと、
撥水性または不透液性のバックシートと、
前記トップシートと前記バックシートとの間に配置される吸収コアと、
を備え、
前記吸収コアが、
透液性の吸収体シートに高吸収性材料が固定された上層吸収体と、
前記上層吸収体と前記バックシートとの間に配置され、シート状の繊維集合体を有する下層吸収体と、
を備え、
前記上層吸収体が、
幅方向に配列されるとともにそれぞれに前記高吸収性材料が固定される複数の材料存在領域と、
前記複数の材料存在領域の周囲にて前記高吸収性材料が非存在である周囲領域と、
前記複数の材料存在領域よりも前記高吸収性材料の密度が低く、股下部にて長手方向に延びるとともに、前記幅方向にて隣接する各２つの材料存在領域間における前記周囲領域の前記幅方向の幅よりも前記幅方向の幅が大きい上溝領域と、
を備え、
前記下層吸収体が、周囲の部位よりも繊維の密度が低く、前記股下部にて前記上溝領域と重なる下溝部を備え、
前記上層吸収体の前記吸収体シートが、積層されて互いに固定される２枚のシート部材を含み、
前記高吸収性材料が、前記２枚のシート部材の間に固定され、
前記周囲領域において、前記２枚のシート部材が、接着剤による接着および熱圧着により接合され、
前記上溝領域において、前記２枚のシート部材が、接着剤による接着のみにより接合される、または、互いに非接合であることを特徴とする吸収性物品。
【請求項５】
請求項１ないし４のいずれかに記載の吸収性物品であって、
前記上溝領域が、前記高吸収性材料の非存在領域であることを特徴とする吸収性物品。
【請求項６】
請求項１ないし５のいずれかに記載の吸収性物品であって、
前記下溝部が、前記繊維の非存在領域であることを特徴とする吸収性物品。
【請求項７】
請求項１ないし６のいずれかに記載の吸収性物品であって、
前記上溝領域が、前記上層吸収体の前記幅方向の中央部に位置し、
前記下溝部が、前記下層吸収体の前記幅方向の中央部に位置することを特徴とする吸収性物品。
【請求項８】
請求項１ないし７のいずれかに記載の吸収性物品であって、
前記上溝領域および前記下溝部が、前記長手方向に平行に延びることを特徴とする吸収性物品。
【請求項９】
請求項１ないし８のいずれかに記載の吸収性物品であって、
前記上溝領域が、前記上層吸収体の前記長手方向の全長に亘って設けられることを特徴とする吸収性物品。
【請求項１０】
請求項１ないし９のいずれかに記載の吸収性物品であって、
前記複数の材料存在領域のそれぞれが、前記長手方向に平行に延びる帯状領域であり、
前記周囲領域が、前記長手方向に平行に延びる複数の材料非存在領域を含み、
前記複数の材料非存在領域が、前記幅方向において前記複数の材料存在領域と交互に配置されることを特徴とする吸収性物品。
【請求項１１】
請求項１０に記載の吸収性物品であって、
前記上溝領域が、前記長手方向に平行に延びる帯状領域であり、
前記上溝領域の前記幅方向の両側に隣接する２つの材料存在領域間の前記幅方向の距離が、前記複数の材料存在領域のうち前記幅方向に隣接する他の２つの材料存在領域間の前記幅方向の距離よりも大きいことを特徴とする吸収性物品。
【請求項１２】
請求項１ないし１１のいずれかに記載の吸収性物品であって、
前記吸収コアにおいて、前記股下部に位置するとともに前記幅方向の幅が最小である最小幅部の幅が、前記幅方向の幅が最大である最大幅部の幅の３５％以上１００％未満であり、前記最小幅部の前記長手方向の長さが、前記吸収コアの前記長手方向の全長の２５％以下であることを特徴とする吸収性物品。
【請求項１３】
請求項１ないし１２のいずれかに記載の吸収性物品であって、
前記トップシート、前記吸収コアおよび前記バックシートを含む本体部の両側部上において前記長手方向に延びる一対のサイドシートをさらに備え、
前記股下部において、前記下層吸収体の前記幅方向の幅が、前記上層吸収体の前記幅方向の幅よりも大きく、
前記股下部における各サイドシートの前記本体部との固定部の前記幅方向の内縁が、前記幅方向において前記上層吸収体の側縁と前記下層吸収体の側縁との間に位置することを特徴とする吸収性物品。
【請求項１４】
着用者からの排泄物を受ける吸収性物品であって、
透液性のトップシートと、
撥水性または不透液性のバックシートと、
前記トップシートと前記バックシートとの間に配置される吸収コアと、
を備え、
前記吸収コアが、
透液性の吸収体シートに高吸収性材料が固定された上層吸収体と、
前記上層吸収体と前記バックシートとの間に配置され、シート状の繊維集合体を有する下層吸収体と、
を備え、
前記上層吸収体が、周囲の部位よりも前記高吸収性材料の密度が低く、股下部にて長手方向に延びる上溝領域を備え、
前記下層吸収体が、周囲の部位よりも繊維の密度が低く、前記股下部にて前記上溝領域と重なる下溝部を備え、
前記上溝領域の幅方向の幅が、５ｍｍ以上３０ｍｍ以下であり、
前記上溝領域と前記下溝部とが重なる領域において、前記下溝部の前記幅方向の幅が、前記上溝領域の前記幅方向の幅以上であることを特徴とする吸収性物品。
【請求項１５】
請求項１ないし１４のいずれかに記載の吸収性物品であって、
前記上溝領域と前記下溝部とが重なる領域において、前記下溝部の前記幅方向の幅が、前記上溝領域の前記幅方向の幅の１倍以上５倍以下であることを特徴とする吸収性物品。
【請求項１６】
請求項１ないし１５のいずれかに記載の吸収性物品であって、
着用者が着用する外装物品の内側に取り付けられる補助吸収具であることを特徴とする吸収性物品。
【発明の詳細な説明】
【技術分野】
【０００１】
本発明は、着用者からの排泄物を受ける吸収性物品に関する。
【背景技術】
【０００２】
従来、使い捨ておむつの内側に取り付けられて使用される軽失禁用の吸収パッド等の吸収性物品では、２枚の不織布等のシート部材の間に、高吸収性樹脂等の粒子を挟んで固定した吸収シートが利用されている。
【０００３】
例えば、特許文献１の吸収性物品は、トップシートと、バックシートと、トップシートとバックシートとの間に配置される吸収部を備える。吸収部は、開口が形成された繊維集合層を有する上側吸収層と、当該開口の下側を覆う吸収シートと、吸収シートの下側に配置されて繊維集合層を有する下側吸収層とを備える。吸収シートは、２枚のシートと、当該２枚のシートの間に配置されて固定される高吸収性材料とを備える。
【０００４】
また、特許文献２の使い捨て吸収性物品では、表面シートと裏面シートとの間の吸収マットが、吸水性樹脂粉末を含んでパルプ繊維を含まないシート状吸水層と、パルプ繊維と吸水性樹脂粉末の両方を含む繊維集合層とを、表面シート側から順に有している。繊維集合層では、上側被覆シートと下側被覆シートとの間にパルプ繊維および吸水性樹脂粉末が包み込まれている。繊維集合層では、長手方向に延びる複数の繊維存在領域が幅方向に並んで配置されており、複数の繊維存在領域の間隙において、上側被覆シートと下側被覆シートとが接合されている。シート状吸水層では、第１不織布シートと第２不織布シートとの間に吸水性樹脂粉末が挟持されている。シート状吸水層では、長手方向に延びる複数の吸水性樹脂粉末存在領域が幅方向に並んで配置されており、複数の吸水性樹脂粉末存在領域の間隙において、第１不織布シートと第２不織布シートとが接合されている。当該使い捨て吸収性物品では、吸収マットの吸収速度を速めることを目的として、シート状吸水層における吸水性樹脂粉末存在領域の間隙が、繊維集合層の繊維存在領域の間隙の上側に配置されている。
【０００５】
一方、特許文献３の吸収性物品では、トップシートとバックシートとの間に設けられた吸収性積層体が、上側吸収体と、第１下側吸収体と、第２下側吸収体とを備える。第１下側吸収体および第２下側吸収体は、上側吸収体の下側にて幅方向に並んで配置される。上側吸収体、第１下側吸収体および第２下側吸収体は、不織布シート間に吸水性樹脂を有し、パルプ繊維を有しない。
【先行技術文献】
【特許文献】
【０００６】
【特許文献１】特開２０１１−１２０７１０号公報
【特許文献２】特開２００４−３２９６６４号公報
【特許文献３】特開２０１３−４２８８１号公報
【発明の概要】
【発明が解決しようとする課題】
【０００７】
ところで、２枚のシートの間に高吸収性材料を固定した吸収シートは、パルプ繊維の集合体に比べて、液体を吸収する速度が遅く、また、液体を受けた位置から周囲に拡散する速度も遅い。一方、パルプ繊維の集合体は、吸収シートに比べて、吸収した液体を保持する性能が低い。
【０００８】
このため、特許文献１の吸収性物品では、上側の繊維集合層の開口を通過した尿等が、吸収シート上に一時的に滞留し、当該開口または上側の繊維集合層を介してトップシートおよび着用者へと戻る現象（いわゆる、ウェットバック）が生じるおそれがある。また、吸収シート上において尿等があまり拡散せず、排泄部近傍に集中しているため、大量の尿等が排泄された場合、吸収シートを通過した尿等を下側の繊維集合層で拡散および保持することができず、ウェットバックが生じるおそれがある。
【０００９】
一方、特許文献２では、シート状吸水層における吸水性樹脂粉末存在領域の間隙、および、繊維集合層における繊維存在領域の間隙は、上下のシートを接合するためのものである。したがって、これらの間隙の幅は小さいため、尿等がシート状吸水層を通過する速度の増大に限界がある。また、シート状吸水層および繊維集合層において、尿等が前後方向に拡散する速度の増大にも限界がある。
【００１０】
本発明は、上記課題に鑑みなされたものであり、尿等の液体を上層吸収体から下層吸収体へと速やかに移動させるとともに長手方向に速やかに拡散させることを目的としている。また、下層吸収体へと移動した尿等の液体が、上層吸収体を通過してトップシートへと戻ることを抑制することも目的としている。
【課題を解決するための手段】
【００１１】
請求項１に記載の発明は、着用者からの排泄物を受ける吸収性物品であって、透液性のトップシートと、撥水性または不透液性のバックシートと、前記トップシートと前記バックシートとの間に配置される吸収コアとを備え、前記吸収コアが、透液性の吸収体シートに高吸収性材料が固定された上層吸収体と、前記上層吸収体と前記バックシートとの間に配置され、シート状の繊維集合体を有する下層吸収体とを備え、前記上層吸収体が、幅方向に配列されるとともにそれぞれに前記高吸収性材料が固定される複数の材料存在領域と、前記複数の材料存在領域の周囲にて前記高吸収性材料が非存在である周囲領域と、前記複数の材料存在領域よりも前記高吸収性材料の密度が低く、股下部にて長手方向に延びるとともに、前記幅方向にて隣接する各２つの材料存在領域間における前記周囲領域の前記幅方向の幅よりも前記幅方向の幅が大きい上溝領域とを備え、前記下層吸収体が、周囲の部位よりも繊維の密度が低く、前記股下部にて前記上溝領域と重なる下溝部を備え、前記上溝領域と前記下溝部とが重なる領域において、前記下溝部の前記幅方向の幅が、前記上溝領域の前記幅方向の幅以上である。
請求項２に記載の発明は、請求項１に記載の吸収性物品であって、前記上層吸収体の前記吸収体シートが、積層されて互いに固定される２枚のシート部材を含み、前記高吸収性材料が、前記２枚のシート部材の間に固定される。
請求項３に記載の発明は、請求項２に記載の吸収性物品であって、前記周囲領域において、前記２枚のシート部材が、接着剤による接着および熱圧着により接合され、前記上溝領域において、前記２枚のシート部材が、接着剤による接着のみにより接合される、または、互いに非接合である。
請求項４に記載の発明は、着用者からの排泄物を受ける吸収性物品であって、透液性のトップシートと、撥水性または不透液性のバックシートと、前記トップシートと前記バックシートとの間に配置される吸収コアとを備え、前記吸収コアが、透液性の吸収体シートに高吸収性材料が固定された上層吸収体と、前記上層吸収体と前記バックシートとの間に配置され、シート状の繊維集合体を有する下層吸収体とを備え、前記上層吸収体が、幅方向に配列されるとともにそれぞれに前記高吸収性材料が固定される複数の材料存在領域と、前記複数の材料存在領域の周囲にて前記高吸収性材料が非存在である周囲領域と、前記複数の材料存在領域よりも前記高吸収性材料の密度が低く、股下部にて長手方向に延びるとともに、前記幅方向にて隣接する各２つの材料存在領域間における前記周囲領域の前記幅方向の幅よりも前記幅方向の幅が大きい上溝領域とを備え、前記下層吸収体が、周囲の部位よりも繊維の密度が低く、前記股下部にて前記上溝領域と重なる下溝部を備え、前記上層吸収体の前記吸収体シートが、積層されて互いに固定される２枚のシート部材を含み、前記高吸収性材料が、前記２枚のシート部材の間に固定され、前記周囲領域において、前記２枚のシート部材が、接着剤による接着および熱圧着により接合され、前記上溝領域において、前記２枚のシート部材が、接着剤による接着のみにより接合される、または、互いに非接合である。
【００１２】
請求項５に記載の発明は、請求項１ないし４のいずれかに記載の吸収性物品であって、前記上溝領域が、前記高吸収性材料の非存在領域である。
【００１３】
請求項６に記載の発明は、請求項１ないし５のいずれかに記載の吸収性物品であって、前記下溝部が、前記繊維の非存在領域である。
【００１４】
請求項７に記載の発明は、請求項１ないし６のいずれかに記載の吸収性物品であって、前記上溝領域が、前記上層吸収体の前記幅方向の中央部に位置し、前記下溝部が、前記下層吸収体の前記幅方向の中央部に位置する。
【００１５】
請求項８に記載の発明は、請求項１ないし７のいずれかに記載の吸収性物品であって、前記上溝領域および前記下溝部が、前記長手方向に平行に延びる。
【００１７】
請求項９に記載の発明は、請求項１ないし８のいずれかに記載の吸収性物品であって、前記上溝領域が、前記上層吸収体の前記長手方向の全長に亘って設けられる。
【００１８】
請求項１０に記載の発明は、請求項１ないし９のいずれかに記載の吸収性物品であって、前記複数の材料存在領域のそれぞれが、前記長手方向に平行に延びる帯状領域であり、前記周囲領域が、前記長手方向に平行に延びる複数の材料非存在領域を含み、前記複数の材料非存在領域が、前記幅方向において前記複数の材料存在領域と交互に配置される。
【００１９】
請求項１１に記載の発明は、請求項１０に記載の吸収性物品であって、前記上溝領域が、前記長手方向に平行に延びる帯状領域であり、前記上溝領域の前記幅方向の両側に隣接する２つの材料存在領域間の前記幅方向の距離が、前記複数の材料存在領域のうち前記幅方向に隣接する他の２つの材料存在領域間の前記幅方向の距離よりも大きい。
【００２２】
請求項１２に記載の発明は、請求項１ないし１１のいずれかに記載の吸収性物品であって、前記吸収コアにおいて、前記股下部に位置するとともに前記幅方向の幅が最小である最小幅部の幅が、前記幅方向の幅が最大である最大幅部の幅の３５％以上１００％未満であり、前記最小幅部の前記長手方向の長さが、前記吸収コアの前記長手方向の全長の２５％以下である。
【００２３】
請求項１３に記載の発明は、請求項１ないし１２のいずれかに記載の吸収性物品であって、前記トップシート、前記吸収コアおよび前記バックシートを含む本体部の両側部上において前記長手方向に延びる一対のサイドシートをさらに備え、前記股下部において、前記下層吸収体の前記幅方向の幅が、前記上層吸収体の前記幅方向の幅よりも大きく、前記股下部における各サイドシートの前記本体部との固定部の前記幅方向の内縁が、前記幅方向において前記上層吸収体の側縁と前記下層吸収体の側縁との間に位置する。
【００２４】
請求項１４に記載の発明は、着用者からの排泄物を受ける吸収性物品であって、透液性のトップシートと、撥水性または不透液性のバックシートと、前記トップシートと前記バックシートとの間に配置される吸収コアとを備え、前記吸収コアが、透液性の吸収体シートに高吸収性材料が固定された上層吸収体と、前記上層吸収体と前記バックシートとの間に配置され、シート状の繊維集合体を有する下層吸収体とを備え、前記上層吸収体が、周囲の部位よりも前記高吸収性材料の密度が低く、股下部にて長手方向に延びる上溝領域を備え、前記下層吸収体が、周囲の部位よりも繊維の密度が低く、前記股下部にて前記上溝領域と重なる下溝部を備え、前記上溝領域の幅方向の幅が、５ｍｍ以上３０ｍｍ以下であり、前記上溝領域と前記下溝部とが重なる領域において、前記下溝部の前記幅方向の幅が、前記上溝領域の前記幅方向の幅以上である。
請求項１５に記載の発明は、請求項１ないし１４のいずれかに記載の吸収性物品であって、前記上溝領域と前記下溝部とが重なる領域において、前記下溝部の前記幅方向の幅が、前記上溝領域の前記幅方向の幅の１倍以上５倍以下である。
【００２５】
請求項１６に記載の発明は、請求項１ないし１５のいずれかに記載の吸収性物品であって、着用者が着用する外装物品の内側に取り付けられる補助吸収具である。
【発明の効果】
【００２６】
本発明では、尿等の液体を上層吸収体から下層吸収体へと速やかに移動させるとともに長手方向に速やかに拡散させることができる。また、下層吸収体へと移動した尿等の液体が、上層吸収体を通過してトップシートへと戻ることを抑制することもできる。
【図面の簡単な説明】
【００２７】
【図１】一の実施の形態に係る吸収性物品の平面図である。
【図２】吸収性物品の断面図である。
【図３】吸収性物品の断面図である。
【図４】吸収コアの平面図である。
【図５】上層吸収体の平面図である。
【図６】下層吸収体の平面図である。
【発明を実施するための形態】
【００２８】
図１は、本発明の一の実施の形態に係る吸収性物品１を広げた状態で示す平面図である。吸収性物品１は、着用者が着用する使い捨ておむつ等の外装物品の内側（すなわち、着用者側）に取り付けられて着用者からの排泄物を受ける補助吸収具である。吸収性物品１は、例えば、着用者からの尿等を受ける軽失禁用の吸収パッドである。図１では、非着用時の伸長状態（すなわち、長手方向および幅方向に伸長した状態）における吸収性物品１を、着用時に着用者に接する側の面を手前にして描いている。
【００２９】
図２は、吸収性物品１を図１中に示すＩＩ−ＩＩの位置で長手方向（すなわち、図１中における上下方向）に垂直な面で切断した断面図である。図３は、吸収性物品１を図１中に示すＩＩＩ−ＩＩＩの位置で長手方向に垂直な面で切断した断面図である。図１ないし図３に示すように、吸収性物品１は、略シート状の本体部２、および、一対のサイドシート３を備える。一対のサイドシート３は、本体部２の両側部（すなわち、長手方向に垂直な幅方向の両側の部位）上において長手方向に延びる。各サイドシート３は、本体部２の長手方向の略全長に亘る。
【００３０】
図１中における本体部２の上側の部位２０１および下側の部位２０３はそれぞれ、着用者の腹側および背側の肌に接する部位であり、以下の説明では、「前方部２０１」および「後方部２０３」と呼ぶ。また、前方部２０１と後方部２０３との間において前方部２０１および後方部２０３から連続するとともに着用者の股間部に対向する部位２０２を「股下部２０２」と呼ぶ。吸収性物品１では、本体部２において、前方部２０１、股下部２０２および後方部２０３が長手方向に順に並ぶ。図１に示す例では、前方部２０１および後方部２０３の幅方向（すなわち、左右方向）の幅が、股下部２０２の幅よりも大きい。換言すれば、本体部２は、平面視においていわゆる砂時計型である。また、後方部２０３の幅方向の幅が、前方部２０１の幅方向の幅よりも大きい。前方部２０１の断面は、幅方向の幅が少し異なる点を除き、図３に示す後方部２０３の断面とほぼ同様である。
【００３１】
図１ないし図３に示すように、本体部２は、透液性のトップシート２１と、撥液性または不透液性のバックシート２３と、吸収コア２２とを備える。吸収コア２２は、トップシート２１とバックシート２３との間に配置されるシート状部材である。図１では、図の理解を容易にするために、吸収コア２２の輪郭を太い破線にて描く。また、股下部２０２を示す図２、および、後方部２０３を示す図３では、実際には接触している吸収性物品１の構成の一部を、上下方向（すなわち、吸収性物品１の厚さ方向）に離間させて描く。図２および図３では、図示の都合上、吸収性物品１の各構成を厚さ方向に離して描いている。
【００３２】
トップシート２１は、着用者からの排泄物の水分を速やかに捕捉して吸収コア２２へと移動させる。吸収コア２２は、トップシート２１を透過した水分を吸収して速やかに固定する。バックシート２３は、バックシート２３に到達した排泄物の水分等が、本体部２の外側にしみ出すことを防止する。
【００３３】
トップシート２１、吸収コア２２およびバックシート２３を含む本体部２の長手方向の長さ（以下、単に「長さ」ともいう。）は、各サイドシート３の長さと略等しい。本体部２の側縁と、各サイドシート３の側縁とは、長手方向の略全長に亘って上下方向におよそ重なる。トップシート２１およびバックシート２３の長さは、吸収コア２２の長さよりも長い。バックシート２３の幅方向の幅（以下、単に「幅」ともいう。）は、吸収コア２２の幅よりも大きい。図１に示す例では、略矩形状のトップシート２１の幅は、バックシート２３の幅よりも小さい。また、トップシート２１の幅は、股下部２０２において吸収コア２２の幅よりも大きく、前方部２０１および後方部２０３において吸収コア２２の幅よりも小さい。吸収コア２２の幅とは、後述する吸収コア２２の上層吸収体２４および下層吸収体２５のうち幅が大きい方の吸収体の幅を意味する。
【００３４】
バックシート２３は、トップシート２１の両側縁、および、吸収コア２２の両側縁から幅方向の外側に広がる。換言すれば、バックシート２３の両側部は、トップシート２１および吸収コア２２に覆われることなく、トップシート２１および吸収コア２２から側方に露出している。バックシート２３の両側部には、一対のサイドシート３の側部が接合される。一対のサイドシート３は、さらに、トップシート２１の両側部にも接合される。吸収性物品１の長手方向の両端縁部では、トップシート２１および各サイドシート３が、バックシート２３に接合される。トップシート２１、バックシート２３および各サイドシート３のそれぞれの接合は、様々な方法（例えば、ホットメルト接着剤による接着、熱圧着、または、超音波圧着）により行われてよい。図２および図３に示す例では、トップシート２１の側縁部と各サイドシート３との接合は、接着剤層４１を介して行われる。
【００３５】
トップシート２１としては、例えば、表面を界面活性剤により親水処理した疎水性繊維（ポリプロピレン、ポリエチレン、ポリエステル、ポリアミド、ナイロン等）にて形成された透液性の不織布（ポイントボンド不織布、エアスルー不織布、スパンボンド不織布等）が利用される。なお、トップシート２１として、セルロースやレーヨン、コットン等の親水性繊維により形成された不織布（例えば、スパンレース不織布）が利用されてもよい。
【００３６】
バックシート２３としては、例えば、撥液性または不透液性の不織布やプラスチックフィルム、あるいは、これらの不織布とプラスチックフィルムとが積層された積層シートが利用される。バックシート２３に利用される不織布は、例えば、疎水性繊維にて形成されたスパンボンド不織布やメルトブロー不織布、ＳＭＳ（スパンボンド・メルトブロー・スパンボンド）不織布であり、必要に応じて撥液処理が施される。バックシート２３にプラスチックフィルムが利用される場合、吸収性物品１のムレを防止して着用者の快適性を向上するという観点からは、透湿性（通気性）を有するプラスチックフィルムが利用されることが好ましい。
【００３７】
吸収コア２２は、上層吸収体２４と、下層吸収体２５とを備える。上層吸収体２４は、下層吸収体２５の上方、すなわち、下層吸収体２５よりも着用者側に配置される。換言すれば、上層吸収体２４は、トップシート２１と下層吸収体２５との間に配置される。また、下層吸収体２５は、上層吸収体２４とバックシート２３との間に配置される。図２および図３に示す例では、上層吸収体２４は下層吸収体２５の上面に直接的に接触した状態で、下層吸収体２５上に配置される。上層吸収体２４の下面は、例えば、ホットメルト接着剤等の接着剤を介して下層吸収体２５の上面に接合される。上層吸収体２４と下層吸収体２５との接合は、他の様々な方法により行われてもよい。また、上層吸収体２４と下層吸収体２５とは、非接合であってもよい。
【００３８】
図４は、吸収コア２２の平面図である。図５は、上層吸収体２４の平面図である。図６は、下層吸収体２５の平面図である。図４および図５に示す例では、上層吸収体２４は、平面視において略矩形状であり、上層吸収体２４の幅は、長手方向の略全長に亘っておよそ同じである。図４および図６に示す例では、下層吸収体２５は、平面視においていわゆる砂時計型である。前方部２０１および後方部２０３における下層吸収体２５の幅は、上層吸収体２４の幅よりも大きい。また、後方部２０３における下層吸収体２５の幅は、前方部２０１における下層吸収体２５の幅よりも大きい。
【００３９】
吸収コア２２では、上層吸収体２４の長手方向の長さは、下層吸収体２５の長手方向の長さと略等しい。上層吸収体２４の長手方向の両端縁は、下層吸収体２５の長手方向の両端縁におよそ重なっている。下層吸収体２５の幅方向の幅は、例えば吸収コア２２の長手方向の略全長に亘って、上層吸収体２４の幅方向の幅よりも大きい。換言すれば、前方部２０１、股下部２０２および後方部２０３において、下層吸収体２５の幅は上層吸収体２４の幅よりも大きい。すなわち、吸収コア２２の外縁は、下層吸収体２５の外縁である。
【００４０】
吸収性物品１では、吸収コア２２において幅方向の幅が最小である最小幅部２２５が、股下部２０２に位置する。図４に示す例では、最小幅部２２５は、吸収コア２２の長手方向の中央よりも前側（すなわち、股下部２０２において後方部２０３よりも前方部２０１に近い位置）に位置する。また、図４に示す例では、吸収コア２２において幅方向の幅が最大である最大幅部２２６は、後方部２０３に位置する。吸収コア２２の最小幅部２２５および最大幅部２２６はそれぞれ、下層吸収体２５の幅が最小の部位、および、最大の部位でもある。最小幅部２２５の幅は、好ましくは、最大幅部２２６の幅の約３５％以上約１００％未満であり、より好ましくは、最大幅部２２６の幅の約３５％以上約７５％以下である。
【００４１】
例えば、最大幅部２２６の幅は約２２０ｍｍである。この場合、最小幅部２２５の幅は、好ましくは約７５ｍｍ以上約２２０ｍｍ未満であり、より好ましくは、約７５ｍｍ以上約１６５ｍｍ以下である。図４に示す例では、最小幅部２２５の幅は、最大幅部２２６の幅の約５２％（約１１５ｍｍ）である。また、吸収コア２２の長手方向の両端部の幅は、約１８０ｍｍである。なお、吸収コア２２の最小幅部２２５、最大幅部２２６および長手方向の両端部の幅は、適宜変更されてよい。
【００４２】
吸収コア２２では、最小幅部２２５の長手方向の長さ（すなわち、最小幅の部位が長手方向に連続する領域の長さ）は、好ましくは、吸収コア２２の長手方向の全長の約０％以上約２５％以下である。例えば、吸収コア２２の全長が約５４０ｍｍである場合、最小幅部２２５の長さは、好ましくは約０ｍｍ以上約１０８ｍｍ以下である。図４に示す例では、最小幅部２２５の長さは、吸収コア２２の全長の約０％（約０ｍｍ）である。換言すれば、吸収コア２２の側縁は、股下部２０２において幅方向内側に凹む弧状であり、最小幅部２２５は、当該弧状の側縁の幅方向最内側の頂点である。吸収コア２２の側縁において、前方部２０１における最大幅部２２６の後端と最小幅部２２５の長手方向中央とを結ぶ直線と、後方部２０３における最大幅部２２６の前端と最小幅部２２５の長手方向中央とを結ぶ直線とのなす角度は、例えば、１０５度以上１３５度以下である。図４に示す例では、当該角度は約１２０度である。
【００４３】
上層吸収体２４は、透液性の吸収体シートに高吸収性材料が固定されたシート状の部材である。図２および図３に示す例では、上層吸収体２４は、当該吸収体シートに含まれる２枚のシート部材２４１と、高吸収性材料２４２とを備える。２枚のシート部材２４１は、上下方向（すなわち、吸収性物品１の厚さ方向）に積層されて互いに固定される。高吸収性材料２４２は、透液性の２枚のシート部材２４１の間に固定される。高吸収性材料２４２のシート部材２４１への固定は、例えば、ホットメルト接着剤による接着により行われる。なお、２枚のシート部材２４１の間には、後述する下層吸収体２５に集合体として含まれているパルプ繊維等の繊維は実質的に存在しない。
【００４４】
２枚のシート部材２４１としては、例えば、透液性の不織布（スパンレース不織布、エアスルー不織布、スパンボンド不織布等）が利用される。２枚のシート部材２４１は、同じ種類であってもよく、異なる種類であってもよい。２枚のシート部材２４１の透液性は同じであってもよく、異なっていてもよい。
【００４５】
高吸収性材料２４２は、例えば、粒状のＳＡＰ（Super Absorbent Polymer）、または、繊維状のＳＡＦ（Super Absorbent Fiber）である。図２および図３に示す例では、高吸収性材料２４２はＳＡＰである。図２および図３では、高吸収性材料２４２の粒子を実際よりも大きく描く。高吸収性材料２４２は、トップシート２１を透過した液体を吸収して膨潤することにより、当該液体を上層吸収体２４内に固定する。
【００４６】
下層吸収体２５は、シート状の繊維集合体を有する。下層吸収体２５は、例えば、パルプ繊維の集合体である。下層吸収体２５は、ＳＡＰまたはＳＡＦ等の高吸収性材料を含んでいてもよい。図２および図３に示す例では、下層吸収体２５は、パルプ繊維の集合体に高吸収性材料（例えば、ＳＡＰの粒子）が混入されたシート状の部材である。下層吸収体２５における高吸収性材料の目付は、例えば、パルプ繊維の目付の約半分である。当該パルプ繊維の集合体は、高吸収性材料の粒子の脱落を防止するために、ティッシュペーパーまたは不織布等により包まれてもよい。なお、図２および図３では、下層吸収体２５に含まれる高吸収性材料の図示は省略する。下層吸収体２５の繊維集合体は、様々な繊維の集合体であってよい。例えば、当該繊維集合体は、合成繊維の集合体であってもよく、パルプ繊維および合成繊維の集合体であってもよい。
【００４７】
図２ないし図５に示すように、上層吸収体２４は、複数の材料存在領域２４５と、周囲領域２４６と、上溝領域２４７とを備える。図４および図５では、図の理解を容易にするために、複数の材料存在領域２４５に平行斜線を付す。複数の材料存在領域２４５のそれぞれには、高吸収性材料２４２が固定される。複数の材料存在領域２４５のそれぞれは、長手方向に略平行に延びる帯状領域である。複数の材料存在領域２４５は、幅方向に配列される。各材料存在領域２４５は、上層吸収体２４の長手方向の略全長に亘って設けられる。各材料存在領域２４５の幅は、上層吸収体２４の全長に亘っておよそ同じである。複数の材料存在領域２４５の幅は、互いに略等しい。
【００４８】
周囲領域２４６は、複数の材料存在領域２４５の周囲に配置される。周囲領域２４６は、複数の材料存在領域２４５の周囲にて高吸収性材料２４２が実質的に非存在である領域である。周囲領域２４６では、高吸収性材料２４２は、全く存在しなくてもよく、実質的に非存在といえる程度であれば僅かに存在してもよい。周囲領域２４６では、好ましくは２枚のシート部材２４１が互いに接合される。周囲領域２４６における２枚のシート部材２４１の接合は、様々な方法により行われてよい。例えば、２枚のシート部材２４１は、周囲領域２４６において、ホットメルト接着剤等の接着剤による接着および熱圧着により接合される。
【００４９】
周囲領域２４６は、長手方向に略平行に延びる複数の材料非存在領域２４８を含む。複数の材料非存在領域２４８のそれぞれは、長手方向に略平行に延びる帯状領域である。複数の材料非存在領域２４８は、幅方向に配列される。各材料非存在領域２４８は、上層吸収体２４の長手方向の略全長に亘って設けられる。各材料非存在領域２４８の幅は、上層吸収体２４の全長に亘っておよそ同じである。上層吸収体２４の両側縁部に位置する２つの材料非存在領域２４８の幅は、互いに略等しい。また、当該２つの材料非存在領域２４８を除く他の複数の材料非存在領域２４８の幅は、互いに略等しい。各材料非存在領域２４８の幅は、好ましくは材料存在領域２４５の幅よりも小さい。
【００５０】
複数の材料非存在領域２４８は、幅方向において複数の材料存在領域２４５と交互に配置される。換言すれば、上層吸収体２４では、複数の材料存在領域２４５が、長手方向に延びるストライプ状に配置される。図４および図５に示す例では、上層吸収体２４の幅方向の中央部よりも右側に２つの材料存在領域２４５が配置され、当該中央部よりも左側にも２つの材料存在領域２４５が配置される。
【００５１】
上溝領域２４７は、股下部２０２にて長手方向に延びる。図４および図５に示す例では、上溝領域２４７は、上層吸収体２４の幅方向の中央部にて２つの材料存在領域２４５の間に位置する。上溝領域２４７は、複数の材料存在領域２４５よりも高吸収性材料２２２の密度が低い領域である。換言すれば、上溝領域２４７では、高吸収性材料２２２が材料存在領域２４５における密度よりも低い密度にて存在する、または、高吸収性材料２４２が実質的に非存在である。好ましくは、上溝領域２４７は、高吸収性材料２４２の非存在領域である。この場合、上溝領域２４７では、高吸収性材料２４２は、全く存在しなくてもよく、実質的に非存在といえる程度であれば僅かに存在してもよい。
【００５２】
図４および図５に示す例では、上溝領域２４７は、長手方向に略平行に延びる帯状領域である。上溝領域２４７は、股下部２０２から前方部２０１および後方部２０３に至る。上溝領域２４７は、例えば、上層吸収体２４の長手方向の略全長に亘って設けられる。
【００５３】
上溝領域２４７では、２枚のシート部材２４１（図２および図３参照）が互いに接合されてもよく、互いに非接合であってもよい。上溝領域２４７において２枚のシート部材２４１が接合される場合、当該接合は、様々な方法により行われてよい。例えば、２枚のシート部材２４１は、上溝領域２４７において、ホットメルト接着剤等の接着剤による接着のみにより接合される。上溝領域２４７および周囲領域２４６において２枚のシート部材２４１の接合に接着剤が利用される場合、両領域にて利用される接着剤は同じ種類であることが好ましい。
【００５４】
上溝領域２４７の幅は、上層吸収体２４の略全長に亘っておよそ同じである。上溝領域２４７の幅方向の幅は、幅方向に周囲領域２４６を介して隣接する各２つの材料存在領域２４５間における周囲領域２４６の幅方向の幅よりも大きい。詳細には、上溝領域２４７の幅は、上溝領域２４７の右側に位置する２つの材料存在領域２４５間の材料非存在領域２４８の幅、および、上溝領域２４７の左側に位置する２つの材料存在領域２４５間の材料非存在領域２４８の幅よりも大きい。したがって、上溝領域２４７の幅方向の両側に隣接する２つの材料存在領域２４５間の幅方向の距離Ｄ１は、複数の材料存在領域２４５のうち幅方向に隣接する他の２つの材料存在領域２４５（すなわち、上溝領域２４７を間に挟むことなく幅方向に隣接する２つの材料存在領域２４５）間の幅方向の距離Ｄ２よりも大きい。距離Ｄ１，Ｄ２は、２つの材料存在領域２４５のそれぞれの中央部間の幅方向における距離である。
【００５５】
例えば、材料存在領域２４５の幅は約１５ｍｍであり、材料存在領域２４５間の材料非存在領域２４８の幅は約５ｍｍであり、上溝領域２４７の幅は、約１５ｍｍである。好ましくは、上溝領域２４７の幅は、約５ｍｍ以上約１００ｍｍ以下であり、より好ましくは、約５ｍｍ以上約３０ｍｍ以下である。上層吸収体２４では、材料存在領域２４５、材料非存在領域２４８および上溝領域２４７の幅は、適宜変更されてよい。上溝領域２４７の幅は、例えば、材料存在領域２４５の幅よりも大きく、１つの材料存在領域２４５の幅と、幅方向に隣接する２つの材料存在領域２４５間に位置する材料非存在領域２４８の幅の２倍との合計に略等しくてもよい。
【００５６】
上溝領域２４７は、例えば、上層吸収体２４を形成する際に、上溝領域２４７に隣接する２つの材料存在領域２４５間に、材料存在領域２４５と同じ幅のもう１つの材料存在領域を形成可能な製造装置において、当該もう１つの材料存在領域に対応する領域への高吸収性材料２４２の供給を停止することにより形成されてもよい。
【００５７】
図４および図６に示すように、下層吸収体２５は、下層繊維部２５１と、下溝部２５２とを備える。下層繊維部２５１は、シート状の繊維集合体であり、下溝部２５２の周囲を囲む。下層繊維部２５１は、パルプ繊維を主材料として形成されており、本実施の形態では、ＳＡＰまたはＳＡＦ等の高吸収性材料を含む。下溝部２５２は、下層吸収体２５における周囲の部位である下層繊維部２５１よりもパルプ繊維の密度が低い部位である。換言すれば、下溝部２５２では、パルプ繊維が下層繊維部２５１よりも低い密度にて存在する、または、パルプ繊維が実質的に非存在である。好ましくは、下溝部２５２は、パルプ繊維の非存在領域である。換言すれば、下層吸収体２５では、シート状のパルプ繊維の集合体の一部が、下溝部２５２として欠けた構造を有する。この場合、下溝部２５２では、パルプ繊維は、全く存在しなくてもよく、実質的に非存在といえる程度であれば僅かに存在してもよい。
【００５８】
下溝部２５２は、股下部２０２にて長手方向に延びる。図４および図６に示す例では、下溝部２５２は、長手方向に略平行に延びる帯状領域である。下溝部２５２は、股下部２０２から前方部２０１および後方部２０３に至る。下溝部２５２の長手方向の長さは、下層繊維部２５１の全長よりも短い。また、図４および図６に示す例では、下溝部２５２は、下層繊維部２５１の幅方向の中央部に位置する。下層繊維部２５１のうち下溝部２５２の幅方向の両側に位置する部位は、下層吸収体２５の長手方向の両端部において連続している。
【００５９】
下溝部２５２の幅は、その略全長に亘っておよそ同じである。なお、下溝部２５２の長手方向の両端部では、下溝部２５２の幅が、長手方向の中央部から離れるに従って漸次減少する。下溝部２５２の両端部を除く部位の幅は、例えば、約３０ｍｍである。この場合、下溝部２５２の幅は上溝領域２４７の幅の約２倍である。下溝部２５２の幅は、好ましくは、上溝領域２４７の幅の約１倍以上約５倍以下である。
【００６０】
図４に示すように、平面視において、下層吸収体２５の下溝部２５２は、上層吸収体２４の上溝領域２４７と重なる。図４に示す例では、上溝領域２４７の一部と下溝部２５２の一部とが上下方向（すなわち、吸収性物品１の厚さ方向）に重なる。吸収コア２２では、上溝領域２４７の一部と下溝部２５２の一部とが重なっていてもよく、上溝領域２４７および下溝部２５２のいずれか一方の全体が他方と重なっていてもよい。
【００６１】
図４に示す例では、上溝領域２４７と下溝部２５２が重なる領域（以下、「溝重複領域」という。）において、下溝部２５２の幅方向の幅は、上溝領域２４７の幅方向の幅以上である。溝重複領域では、上溝領域２４７はその全幅に亘って下溝部２５２と重なる。また、下溝部２５２はその全長に亘って上溝領域２４７と重なる。
【００６２】
図１ないし図３に示すように、各サイドシート３は、サイドシート本体３１と、側壁部弾性部材３２とを備える。サイドシート本体３１は、吸収性物品１の長手方向に延びる略帯状のシート部材である。サイドシート本体３１は、上述の接着剤層４１を介してトップシート２１に固定される。また、サイドシート本体３１のうち、接着剤層４１と接する部位よりも幅方向の外側の部位（すなわち、接着剤層４１から吸収性物品１の側縁に向かって広がる部位）は、バックシート２３の側部に接合される。以下の説明では、サイドシート本体３１のうち、接着剤層４１と接する部位および当該部位よりも幅方向外側の部位、すなわち、本体部２に固定される部位を「側壁固定部３３」という。また、サイドシート本体３１のうち、側壁固定部３３を除く部位、すなわち、接着剤層４１から幅方向の内側へと広がる部位を「側壁起立部３４」という。
【００６３】
吸収性物品１の非着用時の伸長状態において、側壁起立部３４は、側壁固定部３３から吸収コア２２の幅方向の内側（すなわち、中央部側）へと広がり、側壁固定部３３よりも幅方向の内側において長手方向に延びる折り返し線３９にて、幅方向の外側かつ上側（すなわち、吸収性物品１の着用時における着用者側）へと折り返される。側壁固定部３３および側壁起立部３４は、本体部２の両側部上において、本体部２の長手方向の略全長に亘って設けられる。側壁起立部３４は、長手方向の両端部において本体部２上および側壁固定部３３上に重ねられ、ホットメルト接着剤等により本体部２および側壁固定部３３に固定される。
【００６４】
側壁起立部３４の自由端部には、長手方向に延びる側壁部弾性部材３２が、ホットメルト接着剤等の接着剤により伸長状態にて接合される。吸収性物品１の着用時には、各サイドシート３において側壁部弾性部材３２が収縮することにより、側壁起立部３４の長手方向の中央部が、本体部２および側壁固定部３３から着用者側へと起立する。起立した一対の側壁起立部３４は、着用者の脚の付け根近傍に当接する一対の立体ギャザーとなる。これにより、吸収性物品１では、脚周りからの尿等の漏出防止が図られている。
【００６５】
サイドシート本体３１としては、疎水性繊維にて形成された撥水性または不透液性の不織布（例えば、スパンボンド不織布やメルトブロー不織布、ＳＭＳ不織布等）が利用される。側壁部弾性部材３２としては、例えば、ポリウレタン糸、帯状のポリウレタンフィルム、糸状または帯状の天然ゴム等が利用される。図１に示す例では、ポリウレタン糸が側壁部弾性部材３２として利用される。
【００６６】
図２に示すように、股下部２０２では、各サイドシート３の側壁固定部３３の幅方向の内縁３３１が、幅方向において上層吸収体２４の側縁と下層吸収体２５の側縁との間に位置する。側壁固定部３３の内縁３３１は、接着剤層４１の幅方向の内縁と一致する。また、図１および図２に示すように、非着用時の伸長状態の吸収性物品１において、側壁起立部３４の幅方向の外縁部３４１は、股下部２０２において下層吸収体２５の側縁（すなわち、吸収コア２２の側縁）よりも幅方向の外側に位置する。詳細には、側壁起立部３４の外縁部３４１の少なくとも一部が、股下部２０２において下層吸収体２５の側縁よりも幅方向の外側に位置する。図１および図２に示す例では、側壁起立部３４の外縁部３４１は、側壁部弾性部材３２が配置される側壁起立部３４の自由端部である。
【００６７】
以上に説明したように、吸収性物品１は、透液性のトップシート２１と、撥水性または不透液性のバックシート２３と、吸収コア２２とを備える。吸収コア２２は、トップシート２１とバックシート２３との間に配置される。吸収コア２２は、上層吸収体２４と、下層吸収体２５とを備える。上層吸収体２４は、透液性の吸収体シートに高吸収性材料が固定されたシート状の部材である。下層吸収体２５は、シート状のパルプ繊維の集合体を有する。
【００６８】
吸収性物品１では、吸収コア２２において、吸収した液体を保持する性能が比較的高い上層吸収体２４と、液体の吸収速度および拡散速度が比較的速い下層吸収体２５とを併用することにより、吸収コア２２を薄型化しつつ、吸収コア２２における液体保持量および吸収速度の増大を実現することができる。
【００６９】
吸収コア２２では、上層吸収体２４が、複数の材料存在領域２４５と、周囲領域２４６と、上溝領域２４７とを備える。複数の材料存在領域２４５は、幅方向に配列されるとともに、それぞれに高吸収性材料２４２が固定される。周囲領域２４６は、複数の材料存在領域２４５の周囲にて高吸収性材料２４２が非存在である領域である。上溝領域２４７は、複数の材料存在領域２４５よりも高吸収性材料２４２の密度が低い領域である。上溝領域２４７は、股下部２０２にて長手方向に延びる。上溝領域２４７の幅方向の幅は、幅方向にて隣接する各２つの材料存在領域２４５間における周囲領域２４６の幅方向の幅よりも大きい。下層吸収体２５は、上層吸収体２４とバックシート２３との間に配置される。下層吸収体２５は、周囲の部位よりもパルプ繊維の密度が低い下溝部２５２を備える。下溝部２５２は、股下部２０２にて長手方向に延びるとともに上溝領域２４７と重なる。
【００７０】
このように、吸収性物品１では、液体の吸収速度が比較的遅い上層吸収体２４において、周囲領域２４６よりも幅が大きい上溝領域２４７を設けることにより、トップシート２１を通過して吸収コア２２に到達した尿等の液体を、上溝領域２４７を介して下層吸収体２５へと速やかに移動させることができる。その結果、上層吸収体２４上において液体が滞留することを抑制することができる。
【００７１】
また、吸収性物品１では、股下部２０２において着用者の排泄部に対向する部位に集中的に排泄された尿等の液体を、上溝領域２４７を介して上層吸収体２４の長手方向に速やかに拡散させることができる。さらに、上溝領域２４７を介して下層吸収体２５へと移動された液体を、上溝領域２４７と上下方向に重なる下溝部２５２を介して下層吸収体２５の長手方向に速やかに拡散させることができる。これにより、上層吸収体２４および下層吸収体２５において、長手方向の広い範囲に亘る部位を尿等の液体の吸収に利用することができる。換言すれば、尿等の液体の吸収において、吸収コア２２全体を効率良く利用することができる。その結果、吸収性物品１の吸収力を増大することができる。
【００７２】
上述のように、吸収性物品１では、尿等の液体を上層吸収体２４から下層吸収体２５へ速やかに移動することができ、吸収コア２２の長手方向に速やかに拡散することもできるため、吸収性物品１の構造は、薄型化および吸収力向上の両立を求められる補助吸収具に特に適している。尿等の液体の上層吸収体２４から下層吸収体２５への速やかな移動、および、吸収コア２２の長手方向への速やかな拡散を実現するという観点からは、上溝領域２４７の幅は、約５ｍｍ以上約１００ｍｍ以下であることが好ましく、約５ｍｍ以上約３０ｍｍ以下であることがさらに好ましい。
【００７３】
吸収性物品１では、下層吸収体２５に下溝部２５２が設けられることにより、上溝領域２４７を介して下層吸収体２５へと移動された液体を、下溝部２５２にて一時的に保持することができる。その結果、下層吸収体２５へと移動した尿等の液体が、下層吸収体２５にて十分に保持されずに上層吸収体２４を通過してトップシート２１および着用者へと戻る現象（いわゆる、ウェットバック）が発生することを抑制することができる。また、上層吸収体２４が、上述のように、透液性の吸収体シートに高吸収性材料が固定された部材であるため、下層吸収体２５からトップシート２１へと逆戻りする液体の通過を、より一層抑制することができる。その結果、ウェットバックの発生を、さらに抑制することができる。
【００７４】
上述のように、吸収コア２２の上層吸収体２４では、上溝領域２４７が高吸収性材料２４２の非存在領域である。これにより、尿等の液体を上溝領域２４７を介して上層吸収体２４から下層吸収体２５へとさらに速やかに移動することができる。また、尿等の液体を上溝領域２４７を介して上層吸収体２４の長手方向にさらに速やかに拡散させることができる。吸収コア２２の下層吸収体２５では、下溝部２５２がパルプ繊維の非存在領域である。これにより、尿等の液体を下溝部２５２を介して下層吸収体２５の長手方向にさらに速やかに拡散することができる。
【００７５】
吸収コア２２では、上溝領域２４７が上層吸収体２４の幅方向の中央部に位置し、下溝部２５２が下層吸収体２５の幅方向の中央部に位置する。これにより、上溝領域２４７および下溝部２５２が、股下部２０２において着用者の排泄部にトップシート２１を介して対向する。その結果、着用者から排泄された尿等の液体を、上溝領域２４７を介して下層吸収体２５へとさらに速やかに移動させることができる。その結果、上層吸収体２４上において液体が滞留することを、より一層抑制することができる。また、吸収性物品１において着用者の排泄部に対向する部位に集中的に排泄された尿等の液体を、上溝領域２４７および下溝部２５２を介して吸収コア２２の長手方向にさらに速やかに拡散させることができる。その結果、吸収コア２２全体をさらに効率良く利用することができ、吸収性物品１の吸収力をより一層増大することができる。
【００７６】
上述のように、吸収コア２２では、上溝領域２４７および下溝部２５２が、長手方向に略平行に延びる。これにより、上層吸収体２４を製造する際に上溝領域２４７を容易に形成することができ、下層吸収体２５を製造する際に下溝部２５２を容易に形成することができる。その結果、吸収性物品１の製造を容易とすることができる。
【００７７】
また、吸収コア２２では、上溝領域２４７と下溝部２５２とが重なる領域において、下溝部２５２の幅方向の幅が、上溝領域２４７の幅方向の幅以上である。これにより、上層吸収体２４から上溝領域２４７を介して下層吸収体２５へと移動した尿等の液体が、下溝部２５２において一時的に保持されやすくなる。その結果、ウェットバックの発生を、さらに抑制することができる。
【００７８】
さらに、吸収コア２２では、上溝領域２４７が、上層吸収体２４の長手方向の略全長に亘って設けられる。これにより、尿等の液体を吸収コア２２の長手方向の広い範囲に亘って拡散させることができる。また、上層吸収体２４の製造を簡素化することができるため、吸収性物品１の製造を簡素化することができる。
【００７９】
上層吸収体２４では、複数の材料存在領域２４５のそれぞれが、長手方向に略平行に延びる帯状領域である。周囲領域２４６は、長手方向に平行に延びる複数の材料非存在領域２４８を含む。複数の材料非存在領域２４８は、幅方向において複数の材料存在領域２４５と交互に配置される。これにより、尿等の液体を、上溝領域２４７および複数の材料非存在領域２４８を介して、吸収コア２２の長手方向の広い範囲に亘って速やかに拡散させることができる。また、複数の材料存在領域２４５を上述のようにストライプ状に配置することにより、尿等の液体を吸収して膨潤した高吸収性材料２４２が上層吸収体２４において広い範囲に連続して拡がってゲルブロック（すなわち、膨潤した高吸収性材料により、後続の尿等が上層吸収体２４にしみ込むことが阻害され、高吸収性材料上に滞留する現象）が生じることを抑制することができる。その結果、ゲルブロックによるウェットバックを抑制することができる。
【００８０】
さらに、上溝領域２４７は、長手方向に略平行に延びる帯状領域である。上溝領域２４７の幅方向の両側に隣接する２つの材料存在領域２４５間の幅方向の距離Ｄ１は、複数の材料存在領域２４５のうち幅方向に隣接する他の２つの材料存在領域２４５間の幅方向の距離Ｄ２よりも大きい。これにより、上溝領域２４７を介しての液体の拡散が、さらに速やかに行われる。その結果、尿等の液体を吸収コア２２の長手方向の広い範囲に亘ってより一層速やかに拡散させることができる。
【００８１】
上層吸収体２４では、上記吸収体シートが、積層されて互いに固定される２枚のシート部材２４１を含み、高吸収性材料２４２が、２枚のシート部材２４１の間に固定される。これにより、高吸収性材料２４２を当該吸収体シートに強固に固定することができる。また、吸収体シートからの高吸収性材料２４２の脱落を抑制または防止することができる。
【００８２】
上層吸収体２４では、２枚のシート部材２４１は、周囲領域２４６において接着剤による接着および熱圧着により接合される。また、２枚のシート部材２４１は、上溝領域２４７において接着剤による接着のみにより接合される、または、互いに非接合である。これにより、上溝領域２４７において２枚のシート部材２４１が接着剤による接着および熱圧着により接合される場合に比べて、上溝領域２４７における尿等の液体の透過速度を増大させることができる。その結果、尿等の液体を、上溝領域２４７を介して下層吸収体２５へとさらに速やかに移動させることができる。
【００８３】
吸収性物品１では、吸収コア２２において、股下部２０２に位置するとともに幅方向の幅が最小である最小幅部２２５の幅が、幅方向の幅が最大となる最大幅部２２６の幅の約３５％以上約１００％未満（より好ましくは、約３５％以上約７５％以下）である。また、最小幅部２２５の長手方向の長さが、吸収コア２２の長手方向の全長の約２５％以下である。このように、前方部２０１および後方部２０３に比べて股下部２０２を比較的大きく絞る（すなわち、幅を小さくし、かつ、長さを短くする）ことにより、吸収性物品１の股下部２０２の着用感を向上することができる。また、吸収性物品１を着用者に装着する際に、着用者に対する吸収性物品１の位置決めを容易とすることができる。
【００８４】
一方、吸収性物品１において股下部２０２を絞った場合、股下部２０２を絞らない場合に比べて、股下部２０２における吸収コア２２の吸収力は相対的に減少する。しかしながら、吸収性物品１では、上述のように、尿等の液体の上層吸収体２４から下層吸収体２５への速やかな移動、および、吸収コア２２の長手方向への速やかな拡散が実現されるため、吸収性物品１の構造は、股下部２０２が絞られて股下部２０２における吸収力が相対的に減少する吸収性物品に特に適している。当該構造を採用することにより、吸収性物品１では、股下部２０２から側方への液体の漏出を抑制または防止することができる。
【００８５】
上述のように、吸収性物品１は、本体部２の両側部上において長手方向に延びる一対のサイドシート３をさらに備える。吸収性物品１では、股下部２０２において、下層吸収体２５の幅方向の幅が、上層吸収体２４の幅方向の幅よりも大きい。また、股下部２０２における各サイドシート３の本体部２との固定部（すなわち、側壁固定部３３）の幅方向の内縁が、幅方向において上層吸収体２４の側縁と下層吸収体２５の側縁との間に位置する。これにより、着用者から排泄されて幅方向に拡がった尿等の液体が、上層吸収体２４の側縁とサイドシート３の側壁固定部３３の内縁との間から、上層吸収体２４を通過することなく下層吸収体２５へと到達し、下層吸収体２５により吸収される。このように、吸収性物品１では、尿等の液体の一部を、上層吸収体２４の幅方向の両側から、上層吸収体２４を介することなく下層吸収体２５へと移動することができる。その結果、尿等の液体を、下層吸収体２５へとさらに速やかに移動させることができる。
【００８６】
吸収性物品１では、非着用時の伸長状態において、側壁起立部３４が、側壁固定部３３から吸収コア２２の幅方向の中央部へと広がり、側壁固定部３３よりも幅方向の内側において長手方向に延びる折り返し線３９にて幅方向の外側へと折り返される。これにより、吸収性物品１の着用時に着用者に向かって起立する側壁起立部３４の高さを、高くすることができる。
【００８７】
また、吸収性物品１では、非着用時の伸長状態において、側壁起立部３４の幅方向の外縁部３４１が、股下部２０２において下層吸収体２５の側縁よりも幅方向の外側に位置する。これにより、吸収性物品１の着用時に、側壁起立部３４の外縁部３４１が着用者の内腿により幅方向の内側に向かって移動されるため、側壁起立部３４を容易に起立させることができる。
【００８８】
吸収性物品１は、仰臥位の着用者に装着されて使用されることが多く、仰臥位の着用者から排泄された尿等の液体の大部分は、吸収性物品１の後方部２０３（すなわち、着用者の背側）に向かって流れる。上述のように、吸収性物品１では、吸収コア２２の最小幅部２２５が、吸収コア２２の長手方向の中央よりも前側に位置する。このため、吸収コア２２の最小幅部２２５よりも後側の部位、すなわち、吸収コア２２のうち着用者の背側に対向する部位が、最小幅部２２５よりも前側の部位に比べて長手方向に長くなる。これにより、着用者の背側における吸収コア２２の吸収力を大きくすることができる。したがって、吸収性物品１は、仰臥位の着用者から排泄された尿等の液体の吸収に特に適している。
【００８９】
図５に示す例では、上層吸収体２４は、複数の材料存在領域２４５と、周囲領域２４６と、上溝領域２４７とを備えるが、上層吸収体２４では、周囲領域２４６は必ずしも設けられなくてもよい。例えば、上層吸収体２４の全長に亘って設けられる上溝領域２４７の幅方向両側の領域が、略全域に亘って材料存在領域２４５とされてもよい。この場合、上層吸収体２４では、１つの上溝領域２４７と、当該上溝領域２４７の幅方向の両側に隣接する２つの材料存在領域２４５とが設けられる。また、上層吸収体２４では、材料存在領域２４５が１つのみ設けられてもよい。例えば、上層吸収体２４の全長よりも短い上溝領域２４７と、当該上溝領域２４７の周囲を略全周に亘って囲むとともに上溝領域２４７を除く領域の略全域に亘って広がる１つの材料存在領域２４５とが、上層吸収体２４に設けられてもよい。下層吸収体２５では、下溝部２５２の幅は、上溝領域２４７の幅以上であることが好ましいが、上溝領域２４７の幅よりも小さくてもよい。
【００９０】
いずれの場合であっても、上溝領域２４７の幅は、約５ｍｍ以上約１００ｍｍ以下であることが好ましく、約５ｍｍ以上約３０ｍｍ以下であることがさらに好ましい。これにより、トップシート２１を通過して吸収コア２２に到達した尿等の液体を、上溝領域２４７を介して下層吸収体２５へと速やかに移動させることができる。その結果、上層吸収体２４上において液体が滞留することを抑制することができる。また、尿等の液体を、上溝領域２４７を介して上層吸収体２４の長手方向に速やかに拡散させることができる。さらに、上溝領域２４７を介して下層吸収体２５へと移動された液体を、上溝領域２４７と上下方向に重なる下溝部２５２を介して下層吸収体２５の長手方向に速やかに拡散させることができる。その結果、尿等の液体の吸収において、吸収コア２２全体を効率良く利用することができ、吸収性物品１の吸収力を増大することができる。さらに、上溝領域２４７を介して下層吸収体２５へと移動された液体を、下溝部２５２にて一時的に保持することができるため、ウェットバックが発生することを抑制することができる。
【００９１】
上述の吸収性物品１では、様々な変更が可能である。
【００９２】
例えば、吸収性物品１の使用態様に合わせて、吸収コア２２の最小幅部２２５は、吸収コア２２の長手方向中央に位置してもよく、吸収コア２２の長手方向の中央よりも後側に位置してもよい。
【００９３】
吸収コア２２では、下溝部２５２は、下層吸収体２５の長手方向の全長に亘って設けられてもよい。この場合、下層繊維部２５１のうち下溝部２５２の右側に位置する部位と左側に位置する部位とは個別の部材である。吸収性物品１では、例えば、これら２つの個別の部材（すなわち、パルプ繊維の集合体）が互いに離間した状態で幅方向に並べられ、ティッシュペーパーや不織布等により包まれることにより、下層吸収体２５として一体的に取り扱われる。
【００９４】
吸収コア２２では、上溝領域２４７の長さは、上層吸収体２４の全長よりも短くてもよい。また、上溝領域２４７よりも長手方向の長さが長い下溝部２５２が設けられてもよい。下溝部２５２が上溝領域２４７よりも長い場合、上層吸収体２４から上溝領域２４７を介して下層吸収体２５へと移動した尿等の液体が、下溝部２５２において（特に、下溝部２５２の上溝領域２４７と重なっていない長手方向の端部において）一時的に保持されやすくなる。その結果、ウェットバックの発生を、さらに抑制することができる。
【００９５】
上溝領域２４７と下溝部２５２とが重なる領域において、下溝部２５２の幅は、必ずしも上溝領域２４７の幅以上である必要はなく、上溝領域２４７の幅よりも小さくてもよい。
【００９６】
上溝領域２４７は、必ずしも上層吸収体２４の幅方向の中央部に位置する必要はない。下溝部２５２も、必ずしも下層吸収体２５の幅方向の中央部に位置する必要はない。また、上層吸収体２４および下層吸収体２５では、複数の上溝領域２４７および複数の下溝部２５２が設けられてもよい。例えば、２つの上溝領域２４７および２つの下溝部２５２が、上層吸収体２４および下層吸収体２５の幅方向の中央部から幅方向の両側にずれた位置に配置されてもよい。吸収コア２２では、上層吸収体２４に複数の上溝領域２４７が設けられ、下層吸収体２５に１つの下溝部２５２が設けられてもよい。あるいは、上層吸収体２４に１つの上溝領域２４７が設けられ、下層吸収体２５に複数の下溝部２５２が設けられてもよい。
【００９７】
上溝領域２４７および下溝部２５２は、必ずしも長手方向に略平行に延びる必要はない。例えば、上溝領域２４７および下溝部２５２は、長手方向に沿って延びる波線状または折れ線状であってもよく、長手方向に長い略楕円形（例えば、前端部が後端部よりも細い雫型）であってもよい。また、上溝領域２４７および下溝部２５２は、長手方向に沿って延びるとともに長手方向の所定の位置にて分岐する形状（いわゆる、フィッシュボーン形状）であってもよい。あるいは、それぞれが長手方向に沿って弧状に延びる２本の上溝領域２４７および２本の下溝部２５２が、上層吸収体２４および下層吸収体２５において幅方向に並んで設けられてもよい。
【００９８】
下溝部２５２は、必ずしも長手方向に延びる必要はない。例えば、下溝部２５２は、略円形状であってもよい。また、下溝部２５２は、股下部２０２において着用者の排泄部に対向する部位から前方および／または後方にずれた位置に配置されてもよい。
【００９９】
上溝領域２４７は、必ずしも高吸収性材料２４２の非存在領域である必要はない。上溝領域２４７に高吸収性材料２４２が配置される場合、上溝領域２４７における高吸収性材料２４２の密度は、上述のように、複数の材料存在領域２４５における高吸収性材料２４２の密度よりも低い。
【０１００】
下溝部２５２は、必ずしもパルプ繊維の非存在領域である必要はない。下溝部２５２にパルプ繊維が配置される場合、下溝部２５２におけるパルプ繊維の密度は、上述のように、下溝部２５２の周囲の部位におけるパルプ繊維の密度よりも低い。
【０１０１】
上層吸収体２４では、複数の材料存在領域２４５の形状および配置、並びに、周囲領域２４６の形状および配置は、様々に変更されてよい。例えば、略矩形状の複数の材料存在領域２４５が長手方向および幅方向にマトリクス状に配置され、当該複数の材料存在領域２４５の間にて連続する格子状の１つの周囲領域２４６により、各材料存在領域２４５の周囲が囲まれてもよい。
【０１０２】
上層吸収体２４では、周囲領域２４６における２枚のシート部材２４１の接合方法、および、上溝領域２４７における２枚のシート部材２４１の接合方法は、様々に変更されてよい。例えば、上溝領域２４７および周囲領域２４６において、２枚のシート部材２４１が同じ接合方法（例えば、接着剤による接着および熱圧着）により接合されてもよい。なお、上溝領域２４７にはシート部材２４１は存在しなくてもよい。
【０１０３】
上層吸収体２４では、高吸収性材料２４２は、必ずしも２枚のシート部材２４１の間に固定される必要はない。また、上層吸収体２４の上記吸収体シートは、１枚のシート部材２４１のみを含んでいてもよい。例えば、１枚のシート部材２４１の上面（または下面）に高吸収性材料２４２が固定され、当該高吸収性材料２４２の上方（または下方）はシート部材により覆われていないものが、上層吸収体２４として利用されてもよい。なお、この場合も、上溝領域２４７にはシート部材２４１は存在しなくてもよい。
【０１０４】
吸収コア２２では、上層吸収体２４の長さと下層吸収体２５の長さとは異なっていても良い。例えば、上層吸収体２４が下層吸収体２５よりも長く、上層吸収体２４の長手方向の両端部が、下層吸収体２５の長手方向の両端縁から前方および後方に延出していてもよい。下層吸収体２５は、平面視において、必ずしも砂時計型である必要はなく、様々な形状（例えば、略矩形）であってもよい。
【０１０５】
吸収性物品１の非着用時の伸長状態において、側壁起立部３４の折り畳み形状は、様々に変更されてよい。例えば、側壁起立部３４の折り返し線３９の位置は、必ずしも側壁固定部３３よりも幅方向の内側である必要はなく、側壁固定部３３の幅方向内縁におよそ重なる位置でもよい。また、吸収性物品１の当該伸長状態において、側壁起立部３４の幅方向の外縁部３４１は、股下部２０２において、必ずしも下層吸収体２５の側縁よりも幅方向の外側に位置する必要はなく、下層吸収体２５と重なっていてもよい。
【０１０６】
各サイドシート３では、股下部２０２における側壁固定部３３の幅方向内縁は、必ずしも上層吸収体２４の側縁と下層吸収体２５の側縁との間に位置する必要はない。股下部２０２における側壁固定部３３の幅方向内縁の位置は、様々に変更されてよい。また、吸収性物品１では、必ずしもサイドシート３は設けられる必要はない。
【０１０７】
吸収コア２２では、最小幅部２２５の幅は、必ずしも最大幅部２２６の幅の約３５％以上である必要はなく、最大幅部２２６の幅の約７５％以下である必要もない。最大幅部２２６の幅に対する最小幅部２２５の幅の割合は、様々に変更されてよい。また、最小幅部２２５の長さは、必ずしも吸収コア２２の全長の約２５％以下である必要はなく、吸収コア２２の全長の約２５％よりも長くてもよい。
【０１０８】
吸収コア２２では、股下部２０２において、下層吸収体２５の幅は必ずしも上層吸収体２４の幅よりも大きい必要はない。例えば、股下部２０２における上層吸収体２４と下層吸収体２５との幅はおよそ同じであってもよい。また、股下部２０２において、上層吸収体２４の幅が下層吸収体２５の幅よりも大きくてもよい。
【０１０９】
吸収性物品１は、必ずしも補助吸収具として使用される必要はなく、補助吸収具以外の様々な用途（例えば、使い捨ておむつ）に利用されてよい。
【０１１０】
上記実施の形態および各変形例における構成は、相互に矛盾しない限り適宜組み合わされてよい。
【符号の説明】
【０１１１】
１    吸収性物品
２    本体部
３    サイドシート
２１    トップシート
２２    吸収コア
２３    バックシート
２４    上層吸収体
２５    下層吸収体
３３    側壁固定部
３４    側壁起立部
３９    折り返し線
２０２    股下部
２２５    最小幅部
２２６    最大幅部
２４１    シート部材
２４２    高吸収性材料
２４５    材料存在領域
２４６    周囲領域
２４７    上溝領域
２４８    材料非存在領域
２５１    下層繊維部
２５２    下溝部
３３１    （側壁固定部の）内縁
３４１    （側壁起立部の）外縁部
【図１】
0006757576.tif 000002
【図２】
0006757576.tif 000003
【図３】
0006757576.tif 000004
【図４】
0006757576.tif 000005
【図５】
0006757576.tif 000006
【図６】
0006757576.tif 000007